(57)【要約】【課題】ソーラーパネル等の面状物品用支持架台の簡易な構築方法を提供する。【解決手段】一対の縦桟11, 11と、これらの縦桟11, 11を所定間隔で略平行に固定する複数の枠材11f, 11gとを相互に連結し固定することにより面状物品を支持し設置することができる縦桟枠部材10を予め工場内等で作製し、設置面が傾斜地の場合には、縦桟枠部材10を支持し固定する複数の杭部材15を、傾斜地の傾斜方向とこれと略直交する方向に打ち込んで縦横に列設し、これら列設された杭部材15の上端部で、複数の横桟13を横方向に配設して固定し、これらの横桟13に前記縦桟枠部材10の１又は２以上を横桟13と略直交する方向に配列して載置し固定することにより構築される構築方法である。【選択図】図１
2015231288.tif 000002
【特許請求の範囲】
【請求項１】
一対の縦桟と、これら一対の縦桟を所定間隔で略平行に固定する複数の枠材とを相互に連結し固定することにより、面状物品を支持し設置することができる縦桟枠部材を予め用意し、
設置面が傾斜地又は法面の場合には、前記縦桟枠部材を支持し固定する複数の杭部材を、傾斜地又は法面の傾斜方向とこれと略直交する方向に打ち込んで縦横に列設し、
これら列設された杭部材の上端部で、複数の横桟を横方向に配設して固定し、
これらの横桟に前記縦桟枠部材の１又は２以上を横桟と略直交する方向に配列して載置し固定することにより構築される面状物品用支持架台の構築方法。
【請求項２】
設置面が平面の場合には、前記杭部材を縦横に列設し、手前側の杭部材の高さを奥側の杭部材の高さよりも低く設置することを特徴とする請求項１に記載の面状物品用支持架台の構築方法。
【請求項３】
前記横桟を支持する横桟支持部材を杭部材の上端部に設け、この横桟支持部材が前記杭部材の上端部に設けられた杭頭キャップ部材からなり、この杭頭キャップ部材の上端部からは螺子棒又は螺子軸が延長し、この螺子棒又は螺子軸に前記横桟が支持固定されることを特徴とする請求項１又は２に記載の面状物品用支持架台の構築方法。
【請求項４】
前記杭頭キャップ部材と前記横桟との間に支持位置調整部材を介在させたことを特徴とする請求項３に記載の面状物品用支持架台の構築方法。
【請求項５】
一対の縦桟と、これら一対の縦桟を所定間隔で略平行に固定する複数の枠材とを相互に連結し固定することにより、面状物品を支持し設置することができる縦桟枠部材を予め用意し、
設置面が傾斜地又は法面の場合には、前記縦桟枠部材を支持し固定する複数の杭部材を、傾斜地又は法面の傾斜方向とこれと略直交する方向に打ち込んで縦横に列設し、
これら列設された杭部材の上端部に連結支持部材を設け、
これらの連結支持部材により前記縦桟枠部材の１又は２以上を横方向に配列して載置し固定することにより構築される面状物品用支持架台の構築方法。
【請求項６】
設置面が平面の場合には、前記杭部材を縦横に列設し、手前側の杭部材の高さを奥側の杭部材の高さよりも低く設置することを特徴とする請求項５に記載の面状物品用支持架台の構築方法。
【請求項７】
前記連結支持部材が杭部材の上端部に固定される杭頭キャップ部材と、この杭頭キャップ部材から上方に延長する螺子棒又は螺子軸に固定される略Ｌ字型の支持金具とから成り、
この支持金具の起立部が、前記縦桟枠部材の縦桟を支持し固定することができることを特徴とする請求項５又は６に記載の面状物品用支持架台の構築方法。
【請求項８】
前記杭頭キャップ部材と支持金具との間に横断面略Ｌ字形状のアングル材を、横方向に配列された杭部材に掛け渡すように配設して固定し、このアングル材を補強用桟としたことを特徴とする請求項７に記載の面状物品用支持架台の構築方法。
【請求項９】
前記杭頭キャップ部材と前記支持金具又は前記アングル材との間に支持位置調整部材を介在させたことを特徴とする請求項７又は８に記載の面状物品用支持架台の構築方法。
【請求項１０】
縦桟枠部材を載置し固定した後、縦横に配列された複数の杭部材の適宜高さ位置で、その縦方向及び／又は横方向、更には筋交い方向の斜め方向に補強枠部材を掛け渡し固定する工程を付加したことを特徴とする請求項１乃至９の何れか１項に記載の面状物品用支持架台の構築方法。
【請求項１１】
前記縦桟枠部材に予め面状物品が載置され固定されていることを特徴とする請求項１乃至１０の何れか１項に記載の面状物品用支持架台の構築方法。
【請求項１２】
前記支持金具による縦桟枠部材の縦桟支持が螺子又はピンによる１点支持であることを特徴とする請求項７乃至１１に記載の面状物品用支持架台の構築方法。
【発明の詳細な説明】
【技術分野】
【０００１】
本発明は、ソーラーパネル（太陽電池パネル／太陽電池モジュール）等の面状物品を設置し、支持固定するための架台の構築方法に関し、とりわけ設置面が傾斜地又は法面の場合に構築する方法として創案されたものである。但し、この構築方法は設置面が平面であっても適用できるものである。
【背景技術】
【０００２】
従来より、メガソーラー等大小を問わず地上に設置されるタイプのソーラーパネル等の面状物品を構築する各種の支持架台が提案されている。これらの先行技術として下記特許文献に記載のものを挙げることができる。
【０００３】
下記特許文献１に記載の発明に係る太陽電池パネル支持構造にあっては、経済的に施工が容易、安全性、メンテナンス性に優れるものを提供するものであって、施工地に所定間隔で立設された複数の土台（架台）と土台（架台）間に掛け渡した支持材と、支持材に設けた太陽電池パネルを取り付ける取り付け部とを備えたものである。
この発明では、この土台の形態に特徴があり、即ち、土台の上面の上面全部又は一部を所定角で傾斜させ、この傾斜面に支持材を取り付けて太陽電池パネルを傾斜状態に支持するものである。
【０００４】
下記特許文献２に記載の支持構造にあっては、地盤の不安定性に対して、低いコストで安定的に太陽電池モジュールを支持し得る支持構造とそのための支持金具を提供するものである。
ここで利用されている土台は、その手前側に位置する土台と、その後方に位置する土台とが異なる高さに施工・設置され、これら異なる高さの土台の上面に取付金具を固定して太陽電池パネルを傾斜状に設置し固定できるものであって、その取付金具の構成に特徴がある。
【０００５】
下記特許文献３に記載の支持構造にあっては、太陽電池モジュール等の構造物の取付け作業が容易でありかつ安全な構造物支持構造を提供するものであり、この構造物を支持する桟と案内支持部との両者の構成に特徴がある。
この発明においても、土台部であるコンクリート基礎を等間隔で地面上に敷設し、これらコンクリート基礎上にベース桟を固定してベース桟を等間隔に並設し、各ベース桟の後端部アームを鉛直方向に立設して、各ベース桟の先端部と各後端部アームの上端部に縦桟を斜めに掛け渡し、これらの縦桟に太陽電池モジュールを設置するものである。
これら従来の技術の何れのものも、その架台の基礎としてコンクリート製土台を使用するものであった。
【先行技術文献】
【特許文献】
【０００６】
【特許文献１】特開２００７−３５８４９号公報
【特許文献２】特開２０１０−２５８０２４号公報
【特許文献３】特開２０１１−１８５０３０号公報
【発明の概要】
【発明が解決しようとする課題】
【０００７】
上記の通り、従来のソーラーパネル等の面状物品の支持構造においては各種のタイプのものがあるが、その何れのものも、設置（施工）場所にコンクリート製の土台部を設置し、この土台部の上に支持構造（支持架台）を介して面状物品を平面状又は傾斜状に支持固定するものである。
しかしながら、従来のようなコンクリート製の土台を用いずに、面状物品を支持固定できる架台を提供することをその課題として、本願出願人は、特願２０１３−２０２８１７号（出願日：平成２５年９月２８日）として面状物品用支持架台を提案した。
【０００８】
この先願発明においては、コンクリート製土台を使用せずに、発想の転換を図って杭部材を利用するのであるが、そのための杭部材の構成を創案し、そして、複数の杭部材の上端部で架台を支持することとなるのであるが、その際の支持固定位置の調整をもできる部材を設けることを提案した。
【０００９】
これにより、設置面又は施工地の基礎工事を不要とし、設置面の状態に関わらず容易に架台を立設することができ、また、架台を除去する際にも、簡単に原状に復帰させることもできる架台を提案したのである。
本願発明においては、上記先願と同様の構成を採用するのではあるが、その支持架台を傾斜地又は法面に容易に設置し構築できる方法を更に提案することをその第一の課題としている。
勿論、本願発明においても、設置面が平面であっても適用できるものである。
【課題を解決するための手段】
【００１０】
上記課題を解決するために、本発明の第１のものは、一対の縦桟と、これら一対の縦桟を所定間隔で略平行に固定する複数の枠材とを相互に連結し固定することにより、面状物品を支持し設置することができる縦桟枠部材を予め用意し、設置面が傾斜地又は法面の場合には、前記縦桟枠部材を支持し固定する複数の杭部材を、傾斜地又は法面の傾斜方向とこれと略直交する方向に打ち込んで縦横に列設し、これら列設された杭部材の上端部で、複数の横桟を横方向に配設して固定し、これらの横桟に前記縦桟枠部材の１又は２以上を横桟と略直交する方向に配列して載置し固定することにより構築される面状物品用支持架台の構築方法である。
尚、縦桟というのは、太陽光により直面するように適宜傾斜角度をもってソーラーパネルを設置する際に、この傾斜面の傾斜方向に沿う方向に配される桟を意味するものであり、横桟とういうのは、前記縦桟と直交する方向に配設される桟を意味する（以下同じである。）。
【００１１】
本発明の第２のものは、上記第１の発明において、設置面が平面の場合には、前記杭部材を縦横に列設し、手前側の杭部材の高さを奥側の杭部材の高さよりも低く設置することを特徴とする面状物品用支持架台の構築方法である。
ここで、「手前側」及び「奥側」というのは、杭部材を縦横に列設して、ソーラーパネルが設置されるのであるが、設置されるソーラーパネルの傾斜表面に対面する正面視方向から見て手前を手前側と、遠くの奥の方を奥側と表現している（以下同じである。）。
【００１２】
本発明の第３のものは、上記第１又は第２の発明において、前記横桟を支持する横桟支持部材を杭部材の上端部に設け、この横桟支持部材が前記杭部材の上端部に設けられた杭頭キャップ部材からなり、この杭頭キャップ部材の上端部からは螺子棒又は螺子軸が延長し、この螺子棒又は螺子軸に前記横桟が支持固定されることを特徴とする面状物品用支持架台の構築方法である。
【００１３】
本発明の第４のものは、上記第３の発明において、前記杭頭キャップ部材と前記横桟との間に支持位置調整部材を介在させたことを特徴とする面状物品用支持架台の構築方法である。
【００１４】
本発明の第５のものは、一対の縦桟と、これら一対の縦桟を所定間隔で略平行に固定する複数の枠材とを相互に連結し固定することにより、面状物品を支持し設置することができる縦桟枠部材を予め用意し、設置面が傾斜地又は法面の場合には、前記縦桟枠部材を支持し固定する複数の杭部材を、傾斜地又は法面の傾斜方向とこれと略直交する方向に打ち込んで縦横に列設し、これら列設された杭部材の上端部に連結支持部材を設け、これらの連結支持部材により前記縦桟枠部材の１又は２以上を横方向に配列して載置し固定することにより構築される面状物品用支持架台の構築方法である。
【００１５】
本発明の第６のものは、上記第５の発明において、設置面が平面の場合には、前記杭部材を縦横に列設し、手前側の杭部材の高さを奥側の杭部材の高さよりも低く設置することを特徴とする面状物品用支持架台の構築方法である。
【００１６】
本発明の第７のものは、上記第５又は第６の発明において、前記連結支持部材が杭部材の上端部に固定される杭頭キャップ部材と、この杭頭キャップ部材から上方に延長する螺子棒又は螺子軸に固定される略Ｌ字型の支持金具とから成り、この支持金具の起立部が、前記縦桟枠部材の縦桟を支持し固定することができることを特徴とする面状物品用支持架台の構築方法である。
【００１７】
本発明の第８のものは、上記第７の発明において、前記杭頭キャップ部材と支持金具との間に横断面略Ｌ字形状のアングル材を、横方向に配列された杭部材に掛け渡すように配設して固定し、このアングル材を補強用桟としたことを特徴とする面状物品用支持架台の構築方法である。
【００１８】
本発明の第９のものは、上記第７又は第８の発明において、前記杭頭キャップ部材と前記支持金具又は前記アングル材との間に支持位置調整部材を介在させたことを特徴とする面状物品用支持架台の構築方法である。
【００１９】
本発明の第１０のものは、上記第１乃至第９の何れかの発明において、縦桟枠部材を載置し固定した後、縦横に配列された複数の杭部材の適宜高さ位置で、その縦方向及び／又は横方向、更には筋交い方向の斜め方向に補強枠部材を掛け渡し固定する工程を付加したことを特徴とする請求項１乃至９の何れか１項に記載の面状物品用支持架台の構築方法である。
【００２０】
本発明の第１１のものは、上記第１乃至第１０の何れかの発明において、前記縦桟枠部材に予め面状物品が載置され固定されていることを特徴とする面状物品用支持架台の構築方法である。
【００２１】
本発明の第１２のものは、上記第７乃至第１１何れかの発明において、前記支持金具による縦桟枠部材の縦桟支持が螺子又はピンによる１点支持であることを特徴とする面状物品用支持架台の構築方法である。
【発明の効果】
【００２２】
本発明の第１のものにおいては、縦桟枠部材が予め工場内等で製造されており、これを設置現場で取り付け固定するのみであり、その設置面が傾斜地又は法面であっても、容易に構築することが可能となる。
構築現場では、杭部材を傾斜面の傾斜方向とこれと略直交する方向に縦横に打ち込んで列設し、これらの杭部材の上端部に横桟を横方向に配設して固定し、これらの横桟に上記縦桟枠部材を載置し固定するのみであり、傾斜地又は法面であっても、極めて容易に構築し、設置することが可能となるのである。
また、縦桟枠部材は平面状のフレーム部材からなり、その運搬にはトラックの荷台等に重ねて積載でき、その運搬に際しても極めて便利なものとなる。
【００２３】
本発明の第２のものにおいては、上記第１の場合と異なり、設置面が平面である場合を特定したものであり、その効果は、上記第１の発明と同じである。
【００２４】
本発明の第３のものにおいては、杭部材の上端部で横桟を支持する横桟支持部材を設け、これを具体的に特定したものである。
即ち、この横桟支持部材は、杭頭キャップ部材から成り、この杭頭キャップ部材の上端部から延長する螺子棒や螺子軸によって横桟が容易に固定されることとなるのである。
【００２５】
本発明の第４のものにおいては、前記杭頭キャップ部材と横桟との間に更に支持位置調整部材を介在させたものである。
この支持位置調整部材を介在させたことにより、横桟の支持位置を微調整することができることとなるのである。
【００２６】
本発明の第５のものにおいては、上記発明と異なり、横桟を使用しない構築方法に関するものであり、且つ、設置面が傾斜地又は法面に構築する方法を特定している。
即ち、この発明においては、杭部材の上端部に連結支持部材を設け、これらの連結支持部材が予め製作された前記縦桟枠部材を載置し固定することができるものである。
その効果は、上記第１の発明と同様に、傾斜地や法面であっても、容易に構築できることである。
【００２７】
本発明の第６のものにおいては、設置面が平面の場合を特定したものであり、その効果は上記第５の発明と同じである。
【００２８】
本発明の第７のものにおいては、上記連結支持部材の構成をより限定したものである。
即ち、この連結支持部材は、杭頭キャップ部材と、この杭頭キャップ部材から上方に延長する螺子棒や螺子軸に固定される略Ｌ字型の支持金具とから成り、この後者の支持金具の起立部が縦桟枠部材の縦桟を支持し固定することができるものである。
その効果は、上記発明と同じである。
【００２９】
本発明の第８のものにおいては、上記杭頭キャップ部材と支持金具との間に横断面略Ｌ字形状のアングル材を、横方向に配列された杭部材に掛け渡すように配設して固定し、このアングル材を補強用桟としたことを特徴とするものである。
このアングル材は、上記補強効果と同時に、横に並んだ杭部材の連結ガイド部材の役目をも果たすことができることとなる。
【００３０】
本発明の第９のものにおいては、上記第７又は第８の発明において、上記杭頭キャップ部材と上記支持金具又は上記アングル材との間に支持位置調整部材を介在させたことを特定したものであり、これにより縦桟枠部材の縦桟の支持位置を微妙に調整することができることとなるのである。
【００３１】
本発明の第１０のものにおいては、上記第１乃至第９の発明のそれぞれにおいて、縦横に配置された杭部材の適宜高さ位置に、その縦方向及び／又は横方に、更には筋交い方向の斜め方向に補強のための補強枠部材を掛け渡して固定した工程を付加したものである。
これにより、構築された支持架台の強度を向上させることができることとなる。
【００３２】
本発明の第１１のものにおいては、上記何れかの発明において、縦桟枠部材に予め面状物品が載置され固定されていることを特徴とするものであり、これにより縦桟枠部材を設置現場で杭部材等の上端部に載置し固定することによって同時にソーラーパネル等の面状物品の設置も完了するものとなる。
【００３３】
本発明の第１２のものにおいては、上記第７乃至第１１の発明において、略Ｌ字型の支持金具を螺子やピンによる１点支持とすることにより、縦桟枠部材の縦桟を１点で支持することとなるため、その縦桟の傾斜角度を自由に設定することが可能となり、傾斜地等の様々な勾配に柔軟に対応することができるものとなるのである。
【図面の簡単な説明】
【００３４】
【図１】本発明に係る面状物品用支持架台の構築方法によって構築された支持架台の一実施形態の全体を図示するものであって、その（Ａ）が平面図、その（Ｂ）が正面図、その（Ｃ）が斜視図、その（Ｄ）が側面図である。
【図２】図１に図示した支持架台に使用される杭部材を図示しており、その（Ａ）が一部切欠全体図、その（Ｂ）が前図（Ａ）の上端のＢ部分の拡大図、その（Ｃ）が前図（Ｂ）のＣ−Ｃ線断面図である。
【図３】本発明に係る杭頭キャップ部材の他の実施形態を図示しており、その（Ａ）が一部切欠全体図、その（Ｂ）が、前図（Ａ）のＢ部分の拡大図、その（Ｃ）が前図（Ｂ）のＤ−Ｄ線断面図である。
【図４】本発明に係る杭頭キャップ部材の更に他の実施形態を図示しており、その（Ａ）が正面図、その（Ｂ）が前図（Ａ）のＢ−Ｂ線断面図である。
【図５】図２に図示した杭頭キャップ部材の部分を図示した断面説明図であり、縦桟枠部材の縦桟を支持できる支持金具を取り付けた状態を示している。
【図６】図１に示した本発明に係る支持架台の、杭部材の上端部の要部説明図であって、その（Ａ）が一番右側に位置する杭部材の上端部を示し、その（Ｂ）が一番右側から二列目に位置する杭部材の上端部を示している。
【図７】本発明に係る杭部材の上端部を示し、横桟を使用せずに縦桟枠部材の縦桟を支持し固定した状態を示す説明図である。
【図８】図７に図示したものにおいて、縦桟を除去した状態の斜視図を示している。
【図９】本発明に係る支持位置調整部材の他の実施形態を図示する斜視図であって、図６に図示した支持位置調整部材と同じものである。
【発明を実施するための形態】
【００３５】
以下、添付の図面と共に本発明の実施形態について説明する。
図１は、本発明に係る面状物品用支持架台の構築方法によって構築された支持架台の一実施形態の全体を図示するものであって、その（Ａ）が平面図、その（Ｂ）が正面図、その（Ｃ）が斜視図、その（Ｄ）が側面図である。
この支持架台は、傾斜面に設置されたものであって、支持し設置されるソーラーパネル等の面状物品の図示は省略している。
【００３６】
本発明においては、先ず、一番上でソーラーパネル等の面状物品を載置して支持する面状の縦桟枠部材１０を予め工場内で製作しておくのである。
この図１に図示した状態は、この縦桟枠部材１０を横方向に２つ配列した状態を図示しているが、適宜横桟を長く連結し支持することにより横方向に３つ以上配列することも可能である。
【００３７】
この縦桟枠部材１０は、正面視前後方向に配設される一対の縦桟１１、１１と、これらの縦桟１１、１１を相互に連結し、固定する枠材１１ｆ、１１ｇとからなる。
枠材１１ｆは、縦桟１１と略直交する方向に配設され、枠材１１ｇは、斜めに筋交い状に配設され、一対の縦桟１１、１１を両側に略平行に固定し、縦桟枠部材１０は、側面視平たい、面状の形態に形成される。
このように、縦桟枠部材１０が面状に形成されているために、その輸送に際しては、トラックの荷台に重ねて積載することができ、極めて輸送に便利な形態となる。
【００３８】
この縦桟枠部材１０は、複数の杭部材１５によって支持される。
この杭部材１５は、図には現れていないが、その下端部には、掘削刃が形成され、その上端部には、後に説明する杭頭キャップ部材等の連結支持部材が設けられている。
この図１の実施形態では、これらの杭部材１５の上端部で横桟１３、１３が支持され、これらの横桟１３、１３上に上記縦桟枠部材１０、１０が載置され、固定される。
【００３９】
この実施形態では、横桟１３、１３を用いているが、これらの横桟１３、１３を使用せずに縦桟枠部材１０を杭部材１５の上端部に構築することも可能である。
直接、杭部材１５の上端部の連結支持部材が上記縦桟枠部材１０の縦桟１１を支持し、固定することができるからである。
【００４０】
更に、この実施形態においては、杭部材１５同士を縦方向及び横方向に連結する補強枠部材２０を設けている。
これらの補強枠部材２０は、それぞれ傾斜面Ｅから所定高さ位置に、傾斜面Ｅと略平行に配設しているが、その高さ位置は自由であり、傾斜面Ｅと平行でなくともよい。
また、この補強枠部材２０の配設本数も全く自由に設定することができるし、この補強枠部材２０は、筋交い方向の斜め方向に配設するのも全く自由である。
【００４１】
この実施形態では、図から解る通り、４本の杭部材１５が一つの縦桟枠部材１０を支持しているが、縦方向に３本の杭部材１５を配列して６本の杭部材１５で１つの縦桟枠部材１０を支持するように構成することもできる。
【００４２】
後に詳説するが、杭部材１５の上端部には杭頭キャップ部材が設けられ、この杭頭キャップ部材の上面部の略中央から、螺子棒又は螺子軸が上方に延長し、この螺子棒又は螺子軸を利用して複数のナット等により横桟１３が螺着され、固定されるのである。
この実施形態では、縦桟１１及び横桟１３は、Ｃ型チャンネル鋼材又は角型鋼材を利用し、その他の枠材１１ｆ、１１ｇや補強枠部材２０は、断面Ｌ字形状のアングル型鋼を使用して、その軽量化を図っている。
尚、この構築方法により、構築される支持架台は、傾斜地や法面ばかりでなく、平面的な平地に構築することもできる。
【００４３】
ここで、具体的な本発明の構築方法についてまとめてみる。
先ず、工場内等で、縦桟枠部材１０を予め製作しておく。
この縦桟枠部材１０には、その上にソーラーパネルを予め載置し固定しておくことも自由である。
設置現場、例えば傾斜地に、杭部材１５の所望の本数を打ち込む。
この杭部材１５の打ち込みに際しては、傾斜地の傾斜方向に沿って縦方向に２本又は３本打ち込み、更に前記傾斜方向と略直交する方向に所望本数を設置し、傾斜面に縦横方向に必要な本数を打ち込み設置する。
【００４４】
その後、横方向に２本又は３本の横桟１３を前記杭部材１５の上端部で螺子等の固定手段によって支持し固定する。
配設された横桟１３の上に予め製作された上記の縦桟枠部材１０を載置し、固定すれば、本発明に係る面状物品用支持架台が構築される。
この際に、縦桟枠部材１０上にソーラーパネルが設置されたものを使用すれば、この縦桟枠部材１０を固定すると同時にソーラーパネル等の面状物品の設置が完了する。
その後、必要に応じて、補強枠部材２０を杭部材１５の適宜高さ位置に掛け渡し固定して支持架台が完成するのである。
【００４５】
図２は、図１に図示した支持架台に使用される杭部材を図示しており、その（Ａ）が一部切欠全体図、その（Ｂ）が前図（Ａ）の上端のＢ部分の拡大図、その（Ｃ）が前図（Ｂ）のＣ−Ｃ線断面図である。
本発明に係る杭部材１５は、金属製管体を使用し、その下端先端部には掘削刃１５ｈが設けられており、その上端部には杭頭キャップ部材１６が連結されている。
【００４６】
この杭頭キャップ部材１６は、有底筒体状のものからなり、その有底部を上にして上面部１６ｕと成し、その上面部１６ｕの略中央部には鉛直上方に延長する螺子棒１６ｓが設けられたものである。
この杭頭キャップ部材１６の下方の筒体部１６ｔは、杭部材１５の上端部に被さるように冠着され、この筒体部１６ｔの略水平方向の直径方向には杭部材１５と共に貫通孔が形成されてボルト１７・ナット１８により相互に固定される。
【００４７】
この杭頭キャップ部材１６の内面には、図には明瞭に現れていないが、合成樹脂製の止水部材が内装されており、また上記貫通孔で固定するボルト頭部とナット部にはシール座金１９を配設して止水効果を向上させている。
止水部材が設けられた杭頭キャップ部材１６の下方内周面にはＯリングも配設している。止水効果及び防水効果を向上させるためである。
【００４８】
尚、杭頭キャップ部材１６のボルト１７・ナット１８締着部分の外周に表れている逆Ｕ字形状の実線で囲まれた部分は、肉厚部を単に示すものである。
更に、螺子棒１６ｓは、杭頭キャップ部材１６の上面部１６ｕに螺着されたものであっても、溶接着されたものであってもよく、螺子棒１６ｓ又は螺子軸が上方に延長していればよいものである。
この螺子棒１６ｓに前記横桟１３が螺着され、或いは、縦桟枠部材１０の縦桟１１を支持し固定するＬ字形状の支持金具が複数のナット等により螺着固定されることとなる。
【００４９】
図３は、前記杭頭キャップ部材の他の実施形態を図示しており、その（Ａ）が一部切欠全体図、その（Ｂ）が、前図（Ａ）のＢ部分の拡大図、その（Ｃ）が前図（Ｂ）のＤ−Ｄ線断面図である。
【００５０】
これらの図から解る通り、この実施形態に係る杭頭キャップ部材１６においても、有底筒体状のものから成るが、筒体部１６ｔの周壁部が管体から成る杭部材１５の内部に嵌入する構成である。
そして、これら筒体部１６ｔと杭部材１５は螺子２０、２０によってその直径方向に螺着され固定される。
【００５１】
その他の構成は、前記図２に図示した杭頭キャップ部材と同じである。
尚、上記実施形態に係る杭部材１５の設置面Ｅ（図１参照）の地際部には、図示はしていないが防腐食部材を設けている。
【００５２】
図４は、本発明に係る杭頭キャップ部材の他の実施形態を図示しており、その（Ａ）が正面図、その（Ｂ）が前図（Ａ）のＢ−Ｂ線断面図である。
この実施形態に係る杭頭キャップ部材２６は、上記の有底筒体状のものでなく、横断面略コ字形状の金具から成る。
【００５３】
図４（Ａ）から解る通り、断面略コ字形状の両脚部２６ｋ、２６ｋは、その両下端部の間隔が少し狭く形成され、これらの両脚部２６ｋ、２６ｋの略水平方向に貫通孔が設けられ、ボルト１７・ナット１８により杭部材１５と共に固定される。
杭部材１５は、上記実施形態のものと同様に鋼管を使用し、その上端部には止水用のキャップ１５ｃが設けられている。
【００５４】
また、杭頭キャップ部材２６の上面部２６ｕから上方に延長する螺子軸２６ｓは、ボルト２６ｂの頭部を下方に位置させて、上面部２６ｕの略中央部に設けた螺子挿通孔を挿通させてボルト軸部（螺子軸２６ｓ）を上方に突出させ、ナットで固定したものから形成している。
従って、杭頭キャップ部材２６の上面部２６ｕと杭部材１５の上端部（キャップ１５ｃ）との間隔をボルト２６ｂの頭部の高さ距離と同一又はそれよりも大きく形成している。
【００５５】
このように、杭頭キャップ部材２６の上面部２６ｕに形成する螺子棒としては、６角ボルトの螺子軸２６ｓを利用することもでき、或いは、螺子棒の一方端部を上記上面部２６ｕの略中央部に溶接着して上方に延長するように形成することもできる。
即ち、杭頭キャップ部材の上面部略中央に立設する螺子棒又は螺子軸というのは、実質的には同一のものである。
【００５６】
図５は、上記図２に図示した杭頭キャップ部材の部分を図示した断面説明図であり、縦桟枠部材の縦桟を支持できる支持金具１４を取り付けた状態を示している。
この杭頭キャップ部材１６は、上記図２に図示したものと同じであり、図２（Ｃ）と同様の断面を示している。
この杭頭キャップ部材１６と支持金具１４が、杭部材１５と縦桟枠部材１０とを連結し支持し固定する連結支持部材を構成する。
【００５７】
この図からよく解る通り、杭頭キャップ部材１６の上面部１６ｕの略中央部から鉛直上方に延長する螺子棒１６ｓの上方部分で、ナットＮ１、Ｎ２、Ｎ３を利用して縦桟枠部材の縦桟を支持し固定する支持金具１４の一方の側面（底面部）１４ｔを螺着し固定することができるのである。
【００５８】
支持金具１４としては、横断面略Ｌ字形状の金具を使用しており、この一方の側面である底面部１４ｔの螺子挿通穴に杭頭キャップ部材１６の螺子棒１６ｓを挿通させ、上下からナットＮ１、Ｎ２、Ｎ３により座金を介在させて螺着され固定される。
そして、支持金具１４の他方の側面である起立部１４ｋの部分で、縦桟枠部材の縦桟と螺着することができるのである。
【００５９】
この支持金具１４による縦桟の支持として、螺子又はピンによる１点支持構造を採用することにより、縦桟の傾斜角度を自在に設定することができることとなる。
尚、図中符号１９は、シール座金を示し、１６ｒはＯリングを示している。
また、この図５において、支持金具１４の代わりに横桟を支持し固定することにより、図１に図示した支持架台を構築することができることとなるのである。
【００６０】
図６は、図１に示した本発明に係る支持架台の、杭部材の上端部の要部説明図であって、その（Ａ）が一番右側に位置する杭部材の上端部を示し、その（Ｂ）が一番右側から二列目に位置する杭部材の上端部を示している。
尚、この一番右側に位置する杭部材の手前側と奥側に位置する杭部材の上端部構造は同一であり、同様に一番右側から二列目に位置する杭部材の手前側と奥側に位置する杭部材の上端部構造も同一である。更に左側へ向かって、杭部材の上端部構造は同一構造が繰り返される。
【００６１】
先ず、図６（Ａ）においては、杭部材１５の上端部に杭頭キャップ部材１６が設けられている。
この杭頭キャップ部材１６は、上記図３に図示されたものである。
この杭頭キャップ部材１６の上方部には、後に説明する支持位置調整部材４０が設けられ、この支持位置調整部材４０の上面から上方に延長する螺子軸に横桟１３が螺着されるのである。
【００６２】
そして、横桟１３の上面にＬ字型の支持金具１４の下面が螺着され、この支持金具１４の起立面１４ｋが縦桟枠部材の縦桟１１を螺子等の固定手段によって固定できる構成である。
この図では、縦桟１１の内側に上記支持金具１４の起立部１４ｋが螺着される。
【００６３】
図６（Ｂ）にあっては、上記（Ａ）図に示した支持金具４が左右対称に配置されているだけで、その他の構成は同じである。
即ち、杭部材１５及び杭頭キャップ部材１６及びその上には支持位置調整部材４０が配置され、この支持位置調整部材４０の上に横桟１３が固定され、更にこの横桟１３の上にＬ字型の支持金具１４が（Ａ）図と左右対称に固定され、この支持金具１４に縦桟枠部材の縦桟１１が固定されるのである。
【００６４】
ここで、横桟１３は、杭頭キャップ部材１６から上方に延長する螺子棒に直接螺着させることも出来る。つまり、横桟は、支持位置調整部材４０を介在させずに螺着させることもできる。
また、上記横桟１３を使用せずに、Ｌ字型の支持金具１４を杭頭キャップ部材１６又は支持位置調整部材４０に直接螺着させることもできるのである。
【００６５】
図７は、横桟を使用せずに縦桟枠部材の縦桟を支持し固定した状態を示す説明図である。
この図から良く解る通り、杭部材１５の上端部には杭頭キャップ部材１６が設けられ、この杭頭キャップ部材１６の上面部に螺合された螺子１６ｓの上端の螺子頭部が支持位置調整部材５０の下面部の溝条部と適合し、複数のナットにより固定される。
この支持位置調整部材５０の構成は、後の図８で説明を加える。
【００６６】
他方、支持位置調整部材５０の上面部では、その溝条部に螺子５０ｓの頭部が適合して、その螺子軸が上方に延長し、この螺子軸にＬ字型の支持金具１４が複数のナットにより固定される。
そして、このＬ字型の支持金具１４の起立面１４ｋに縦桟枠部材の縦桟１１が螺着され、支持固定されるのである。
【００６７】
この図７において、図中符号５は、横断面略Ｌ字形状のアングル材を示しており、このアングル材５は、紙面表裏方向に延長しており、このアングル材５の一方の面（図では上面）が支持位置調整部材５０から上方に延長する螺子軸５０ｓに固定されている。
即ち、アングル材５の上面に設けた螺子挿通孔に上記螺子軸５０ｓが貫通し、ナットにより固定される。
このアングル材５は、横方向に列設した杭部材１５同士を連結し、補強効果を発揮すると同時に、アングル材５に設けられた螺子挿通孔の間隔設定により、杭部材１５同士の間隔設定の役目をも担うものである。
【００６８】
更に、この図７から良く解る通り、支持金具１４の起立部１４ｋと縦桟１１とは、螺子３による１点支持の構成を採用している。
これにより、縦桟１１の傾斜角度は、自由に設定することができ、設置される傾斜面の勾配に適合させ、適宜設定することが可能となるのである。
【００６９】
図８は、上記図７に図示したものにおいて、縦桟を除去した状態の斜視図を示している。
ここに図示した支持位置調整部材５０は、高さの短い円柱形状（円盤形状）をした金具から成り、その上面部５１と下面部５３に、それぞれ溝条部５２、５４が直径方向の全体に且つ平面視略直交する方向に設けられたものである。
【００７０】
この溝条部５２、５４は、それぞれボルト頭部又はナットが適合できるように、その内部の横幅がその溝条部の開口部の横幅よりも大きく形成されたものである。
つまり、この溝条部５２、５４内にボルト頭部又はナットを側面方向から適合させると、その頭部は軸方向には抜け落ちない構造を採用している。
【００７１】
この支持位置調整部材５０を杭部材１５の杭頭キャップ部材１６と支持金具１４との間に介在させるのである。
即ち、杭頭キャップ部材１６の上面部１６ｕに螺合している螺子１６ｓとして、六角ボルトを使用する。つまり、このボルトの螺子軸の先端部を杭頭キャップ部材１６の上面部１６ｕの略中央部に螺着する。そして、ボルト頭部を前記支持位置調整部材５０の下面部５３に設けた溝条部５４に適合させる。即ち、この溝条部５４内部で、前記六角ボルトの頭部がスライドできるのである。
【００７２】
他方、この支持位置調整部材５０の上面部５１に設けた溝条部５２には、他の六角ボルトの頭部を適合させ、その溝条部５２内でスライドさせて位置決めを行い、ナットにより固定することにより、この支持位置調整部材５０の上面部５１から上方に螺子軸（ボルト軸）５０ｓが延長することとなる。
この螺子軸５０ｓにＬ字型の支持金具１４の底面部を複数のナットにより螺着固定するのである。
【００７３】
以上により、杭頭キャップ部材１６の上端の螺子１６ｓの支持位置の調整、即ち、支持位置調整部材５０の下面部５３の溝条部５４内の位置決め、及び、支持位置調整部材５０の上面部５１に設けた溝条部５２内での位置決めにより、支持金具１４の支持位置を適宜微調整することができることとなるのである。
このように、本発明に係る支持位置調整部材においては、少なくともその上面と下面に平面視略直交する方向に溝条部が形成されていればよく、その外形形状は自由に設計することができる。
【００７４】
図９は、上記図８で説明した支持位置調整部材の他の実施形態を図示する斜視図であって、図６に図示した支持位置調整部材と同じものである。
この支持位置調整部材４０は、基本的には、上記実施形態に係る支持位置調整部材５０とほぼ同様であるが、その軽量化を図るために、その上面部及び下面部の不必要な部分を除去した形態を有するものである。
【００７５】
その本体部は基本的には円盤形状を有し、その上面部４１に溝条部４２をその直径方向の全体に設け、その下面部４３に溝条部４４をその直径方向の全体に設け、これらの溝条部４２、４４は、平面視略直交する方向に設けられている。
この図に示した支持位置調整部材４０の上面部４１と下面部４３を反転させると、溝条部４４の方向は、上面部４１の溝条部４２と略直交方向に配置されているが、その形態は全く同一のものである。
【００７６】
このような構成を採用することにより、杭頭キャップ部材の上端部に配置されるボルトの頭部をこの支持位置調整部材４０の下面部４３の溝条部４４内に適合させ、他方、支持位置調整部材４０の上面部４１の溝条部４２内にもボルト頭部を適合させることにより当該ボルト軸が上方に延長することとなり、このボルト軸に支持金具を螺着固定することができる。
その際に、下面部４３の溝条部４４内及び上面部４１の溝条部４２内でのボルト頭部をスライドさせてその位置決めを適宜行うことにより、縦桟の支持位置の微調整を適宜行うことができることとなるのである。
【００７７】
上記の支持位置調整部材４０、５０は、杭部材１５の上端に設けた杭頭キャップ部材１６、２６と支持金具１４との間、又は、杭頭キャップ部材１６、２６と補強用のアングル材５との間に設けることができる。
勿論、杭頭キャップ部材１６に直接支持金具１４を固定して縦桟１１を固定することもでき、支持位置調整部材４０、５０及び補強用のアングル材５は、任意の構成部材である。
【００７８】
以上、本発明の実施形態について、その構築方法によって構築された支持架台の構造を中心に説明したが、その基本的な構築方法について再度まとめると以下のようになる。
先ず、工場内等で、縦桟枠部材１０を予め製作しておく。その際に、面状物品を縦桟枠部材１０に固定しておいてもよい。
【００７９】
設置現場、例えば傾斜地に、杭部材１５の所望の本数を打ち込む。
この杭部材１５の打ち込みに際しては、傾斜地の傾斜方向に沿って縦方向に２本又は３本打ち込み、更に前記傾斜方向と略直交する方向に所望本数を設置し、傾斜面に縦横方向に必要な本数を打ち込み設置する。
【００８０】
その後、横方向に２本又は３本の横桟１３を前記杭部材１５の上端部で螺子等の固定手段によって支持し固定する。
配設された横桟１３の上に予め製作された上記縦桟枠部材１０を載置し、固定すれば、本発明に係る面状物品用支持架台が構築されるのである。
【００８１】
設置面が平面の場合には、複数の杭部材１５を縦横に配列させ、正面視手前側を低く、奥側を高く設置することにより、縦桟枠部材１０を太陽光の入射方向に対面するような傾斜面に設置することができる。
【００８２】
縦桟枠部材１０を支持し固定する杭部材１５の上端部構造は、その形態を種々変更することができ、杭部材１５の上端の杭頭キャップ部材、支持位置調整部材、アングル材、横桟、及び、支持金具を適宜選択して用いることができるものである。
横桟、アングル材及び支持位置調整部材は、これらを設けずに構築することもできる。
また、杭頭キャップ部材も、これを用いずに、杭部材の上端部に螺子棒が上方に延長する形態であればどのようなものでもよく、上記実施形態に示した各種の杭頭キャップ部材を使用せずに実施することも可能である。
【００８３】
更に、この構築方法に用いる構成部材も、以下の通りその形態を種々変更することができる。
一対の縦桟及びこれらを固定する枠材のサイズ、形態等は自由に設計変更できる。
縦桟は基本的には鋼製のＣ型チャンネル材を使用しているが、これを断面Ｌ字形状のアングル型材を使用することもでき、縦桟の下端側縁部を上方に折曲して樋部を形成することもできる。
【００８４】
更には、縦桟として、２分割縦桟をも用いることもできる。
杭部材の適宜高さ位置に掛け渡す補強枠部材も自由に配設して固定することができる。
本発明に係る杭部材においては、上記実施形態においては、鋼管を使用したが、この杭部材も管体でなく、横断面開放型のＣ字型、コ字型又はＨ字型等の各種の型鋼を使用することもできる。
その上端部で上方に延長するに螺子棒又は螺子軸を直接杭部材の上端部に設けることもできる。つまり、杭頭キャップ部材を別体にして設けずに実施することもできる。
【００８５】
杭頭キャップ部材の形態も自由に設計変更することができ、要するに、杭部材の上端部に連結でき、その上面に上方に延長する螺子棒又は螺子軸が形成されていればよい。
即ち、この杭頭キャップ部材の本体部の形態は、筒体形状や横断面略コ字形状以外の形態をも採用することができる。
筒体形状のものであっても、その一部の長手方向に切込が形成されているものであってもよい。
【００８６】
杭頭キャップ部材が筒体形状を有し、この筒体形状の杭頭キャップ部材の下端外周又は内周に螺子溝を刻設し、これと螺合する螺子溝を鋼管杭部材の上端部の内周又は外周に刻設して相互に螺合できる形態を採用し、ボルトナットによる締結を省略することも可能である。
要するに、杭頭キャップ部材と杭部材との締着又は締結は、自由に設計変更することができる。
【００８７】
支持位置調整部材の形態も自由に設計変更することができるが、要するに、本体部の上面部と下面部に平面視相互に略直交する溝条部が形成してあれば、その全体の外形形状は全く問わないものであり、上記実施形態では、平面視略円形のものを提案したが、これが平面視矩形形状であっても全く問題なく使用することができる。
【００８８】
以上、本発明においては、一対の縦桟を含む縦桟枠部材を予め製作し、設置現場で複数の杭部材を縦横に配列して設置し、この杭部材の上に前記縦桟枠部材の１又は２以上のものを横方向に配列し固定して容易にソーラーパネル等の面状物品を支持し固定できる支持架台を構築できる構築方法を提供することができた。
【符号の説明】
【００８９】
５  アングル材
１０  縦桟枠部材
１１  縦桟
１１ｆ、１１ｇ  枠材
１３  横桟
１５  杭部材
１５ｈ  掘削刃
１６、２６  杭頭キャップ部材
１６ｕ、２６ｕ  上面部
１６ｔ  筒体部
１６ｓ、２６ｓ  螺子棒（螺子軸）
１７  ボルト
１８  ナット
２０  補強枠部材
４０、５０  支持位置調整部材
４１、５１  上面部
４２、４４、５２、５４  溝条部
４３、５３  下面部  
Ｅ  設置面
Ｎ１，Ｎ２，Ｎ３  ナット
【図１】
2015231288.tif 000003
【図２】
2015231288.tif 000004
【図３】
2015231288.tif 000005
【図４】
2015231288.tif 000006
【図５】
2015231288.tif 000007
【図６】
2015231288.tif 000008
【図７】
2015231288.tif 000009
【図８】
2015231288.tif 000010
【図９】
2015231288.tif 000011